(57)【要約】【課題】回動操作部材の指掛け部とハンドル本体の円弧状の表面との間にコイン等の異物を食い込ませて回動操作部材を固定する不正行為を効果的に防止することが可能なパチンコ機の発射ハンドルを提供する。【解決手段】発射ハンドル１７は、パチンコ機１の前面側に固定されるハンドル本体１８と、ハンドル本体１８に回動可能に取り付けられた回動操作部材１９とを備える。ハンドル本体１８の表面には、断面が円弧状の曲面が形成されている。回動操作部材１９には、ハンドル本体１８の円弧状の曲面に沿って延びる部分を有する指掛け部２５が一体に設けられている。指掛け部２５のハンドル本体１８に沿った面には、指掛け部２５とハンドル本体１８との間に差し込まれた異物の先端を係止する切欠き２７が形成されている。【選択図】図４
2011224318.tif 000002
【特許請求の範囲】
【請求項１】
パチンコ機の前面側に固定されるハンドル本体と、
そのハンドル本体に回動可能に取り付けられ、遊技球を発射するために遊技者によって回動操作される回動操作部材とを備え、
前記ハンドル本体の表面には、断面が円弧状の曲面が形成され、
前記回動操作部材には、前記ハンドル本体の円弧状の曲面に沿って延びる部分を有する延出部が一体に設けられたパチンコ機の発射ハンドルにおいて、
前記延出部のハンドル本体に沿った面に、延出部とハンドル本体との間に差し込まれた異物の先端を係止する切欠きが形成されていることを特徴とするパチンコ機の発射ハンドル。
【発明の詳細な説明】
【技術分野】
【０００１】
本発明は、遊技者によって操作されるパチンコ機の発射ハンドルに関する。
【背景技術】
【０００２】
一般に、パチンコ機の前面側には、固定のハンドル本体と、そのハンドル本体に回動可能に取り付けられた回動操作部材とを備える発射ハンドルが設けられており、その回動操作部材を回動操作することにより、遊技球が遊技盤の遊技領域に発射されるようになっている。そして、遊技者は、回動操作部材の回動角度を調整することで遊技球の発射速度を調節する。
【０００３】
このようなパチンコ機の発射ハンドルにおいて、発射ハンドルを握ったときのフィット感を高めるため、ハンドル本体の表面に、断面が円弧状の曲面（例えば半球面）を形成することが多い。さらに回動操作部材を操作する指の疲労を軽減するため、ハンドル本体の円弧状の曲面に沿って延びる指掛け部を回動操作部材と一体に設けたものが知られている（例えば特許文献１、２参照）。
【０００４】
ところで、遊技者の中には、遊技球の発射速度を微調整した状態で一定に保持するために、回動操作部材とハンドル本体の間にコインを差し込み、そのコインを楔のように食い込ませることによって、回動操作部材の回動角度を固定する不正行為を行なう者がいる。
【０００５】
そこで、回動操作部材とハンドル本体の間の軸方向隙間にコインを食い込ませる行為を防止するため、特許文献３の発射ハンドルが提案されている。この発射ハンドルは、回動操作部材とハンドル本体の間に低摩擦の隙間埋めリングを組み込むことによって、回動操作部材とハンドル本体の間の軸方向隙間を小さくし、コインが差し込まれないようにしている。
【先行技術文献】
【特許文献】
【０００６】
【特許文献１】特開２００８−２４６２２９号公報
【特許文献２】特開平１１−２９０５０９号公報
【特許文献３】特開２００５−２９６０３７号公報
【発明の概要】
【発明が解決しようとする課題】
【０００７】
しかしながら、回動操作部材の指掛け部が、ハンドル本体の円弧状の曲面に沿って延びる部分を有する発射ハンドルにおいては、回動操作部材とハンドル本体の間に隙間埋めリングを組み込んでその軸方向隙間を小さくしたとしても、指掛け部とハンドル本体の円弧状の曲面との間の隙間を埋めることはできないので、その隙間にコインを食い込ませて回動操作部材が固定されるおそれがあった。
【０００８】
同様の問題は、発射ハンドルを握ったときに指を掛ける指掛け部に限らず、ハンドル本体の円弧状の曲面に沿って延びる部分を有する延出部が回動操作部材に一体に形成された発射ハンドルであれば起こりうる。例えば、視覚的デザインの観点により回動操作部材に形成された延出部が、ハンドル本体の円弧状の曲面に沿って延びる部分を有する場合がこれに相当する。
【０００９】
本発明の目的は、回動操作部材の延出部とハンドル本体の円弧状の曲面との間にコイン等の異物を食い込ませて回動操作部材を固定する不正行為を効果的に防止することが可能なパチンコ機の発射ハンドルを提供することである。
【課題を解決するための手段】
【００１０】
上記目的を達成するために本発明では、前記延出部のハンドル本体に沿った面に、延出部とハンドル本体との間に差し込まれた異物の先端を係止する切欠きが形成されている。このようにすると、延出部とハンドル本体の円弧状の曲面との間にコイン等の異物を差し込んだときに、ハンドル本体の表面の曲面が円弧状なので、延出部のハンドル本体に沿った面に異物の先端が突き当たり、その面に形成された切欠きで異物の先端が係止されて、それ以上の異物の侵入が阻止される。したがって、延出部とハンドル本体の円弧状の曲面との間にコイン等の異物を差し込んでも、回動操作部材を固定できる程の深さまで異物を食い込ませることができず、回動操作部材を固定する不正行為を効果的に防止することができる。
【発明の効果】
【００１１】
この発明のパチンコ機の発射ハンドルは、ハンドル本体の円弧状の曲面に沿って延びる部分を有する延出部に、延出部とハンドル本体との間に差し込まれた異物の先端を係止する切欠きが形成されているので、延出部とハンドル本体の円弧状の曲面との間にコイン等の異物を食い込ませて回動操作部材を固定する不正行為を効果的に防止することが可能である。
【図面の簡単な説明】
【００１２】
【図１】本発明の実施形態の発射ハンドルを採用したパチンコ機の正面図
【図２】遊技盤の正面図
【図３】図１に示すパチンコ機の斜視図
【図４】図３に示す発射ハンドルの側面図
【図５】図３に示す発射ハンドルの正面図
【図６】（ａ）は図４の指掛け部付近の拡大断面図、（ｂ）は（ａ）に示す指掛け部とハンドル本体との間にコインを差し込んだ状態を示す図
【図７】図６（ａ）に示す切欠きの他の例を示す拡大断面図
【発明を実施するための形態】
【００１３】
以下、本発明を具体化した実施形態のパチンコ機の発射ハンドルについて、図１〜６にしたがって詳細に説明する。
【００１４】
図１に示すように、パチンコ機１は、パチンコホールに設置するときの設置台になる外枠２と、外枠２の一側部の上下に固定されたヒンジ片３で開閉可能に支持される中枠４と、中枠４の一側部の上下に固定されたヒンジ片５で開閉可能に支持される前面枠６とを備えている。
【００１５】
外枠２は、木製の板材を矩形状に枠組みして、前後に開口する角筒状に形成されており、その前面側を中枠４が開閉し、さらにその中枠４の前面側を前面枠６が開閉するようになっている。中枠４には、図２に示すように、遊技球が転動可能な遊技領域７を有する遊技盤８と、遊技領域７に設けられた入賞装置９に遊技球が入ったときに大当り抽選を演出表示する表示装置１０とが組み込まれている。
【００１６】
図３に示すように、前面枠６には、中枠４の前面側を閉鎖した状態で遊技盤８を視認可能とするガラス板１１が装着されている。前面枠６の下部には、払出装置（図示せず）から払出口１２を通って払い出された遊技球を貯留して遊技球発射装置（図示せず）へと誘導する上皿１３が一体に設けられている。
【００１７】
中枠４には、上皿１３から溢れた遊技球を貯留する下皿１４と、下皿１４の取り付け基板１５とからなる下皿ユニット１６が取り付けられている。上皿１３が払出口１２から払い出された遊技球で一杯になったとき、上皿１３から溢れた遊技球は、中枠４の後面側に設けられた溢れ玉通路（図示せず）を通って下皿１４に払い出される。
【００１８】
下皿１４の右側には発射ハンドル１７が取り付けられている。発射ハンドル１７は、パチンコ機１の前面側に固定されたハンドル本体１８と、ハンドル本体１８に回動可能に取り付けられた回動操作部材１９とを備え、この回動操作部材１９を回動操作することにより、上皿１３に貯留された遊技球が遊技球発射装置から遊技盤８（図２参照）の遊技領域７に発射されるようになっている。
【００１９】
図４に示すように、ハンドル本体１８は、下皿１４の取り付け基板１５から前方に延出するハンドルベース１８Ｂと、ハンドルベース１８Ｂの前方に固定されたハンドルカバー１８Ａとからなる。ハンドルベース１８Ｂとハンドルカバー１８Ａは図示しないビスで互いに連結されており、その間に回動操作部材１９が回動可能に挟まれている。
【００２０】
ハンドルカバー１８Ａは、前後方向を軸方向とする筒部２０と、筒部２０の前側の端部を閉じる椀状部２１とからなる。椀状部２１は、筒部２０から順に連続する小曲率半径部分２１ａと大曲率半径部分２１ｂとからなる。小曲率半径部分２１ａの表面と大曲率半径部分２１ｂの表面は、いずれも回動操作部材１９の回動方向に直交する断面（図に示す断面）が円弧状の曲面であるが、その曲率半径が互いに異なっており、小曲率半径部分２１ａの曲率半径が大曲率半径部分２１ｂの曲率半径よりも小さい。一方、筒部２０の表面は、回動操作部材１９の回動方向に直交する断面が直線状となるように形成されている。
【００２１】
回動操作部材１９は、ハンドルカバー１８Ａとハンドルベース１８Ｂとの間で前後に挟まれるように配置されたリング状の平板部２２と、ハンドルベース１８Ｂとハンドルカバー１８Ａの間の軸方向隙間を内径側から塞ぐように形成された小径筒部２３と、ハンドルカバー１８Ａの外周に沿って軸方向に延びる大径筒部２４とを有する。
【００２２】
大径筒部２４には、ハンドル本体１８を手のひらで包むようにして握ったときに指が掛かる複数の指掛け部２５が一体に形成されている。各指掛け部２５は、ハンドルカバー１８Ａの筒部２０の表面および椀状部２１の表面に沿って延びるように形成されている。
【００２３】
回動操作部材１９は、遊技球の発射を行なわない始点位置と、遊技球を最大の発射速度で発射する終点位置との間で回動操作できるようになっている。また、回動操作部材１９は図示しないリターンスプリングで終点位置から始点位置に向けて付勢されている。ハンドルベース１８Ｂには、回動操作部材１９を回動操作した状態のまま遊技球の発射を停止させることが可能な発射停止ボタン２６（図５参照）が設けられている。
【００２４】
図４に示すように、指掛け部２５は、椀状部２１の表面のうち、曲率半径の小さい小曲率半径部分２１ａのみに被さるように形成されている。指掛け部２５のハンドルカバー１８Ａに沿った面には、筒部２０と椀状部２１の境界位置の外径側に切欠き２７が形成されている。図６（ａ）に示すように、切欠き２７は、筒部２０と椀状部２１の境界（すなわち円弧面と円筒面の境界）Ｌよりも椀状部２１側の位置から筒部２０側に向かって次第に深くなる導入面２７ａと、筒部２０と椀状部２１の境界Ｌよりも筒部２０側の位置でハンドルカバー１８Ａの表面に対して垂直に立ち上がる係止面２７ｂとを有し、指掛け部２５とハンドルカバー１８Ａの椀状部２１との間に差し込まれた異物の先端が、導入面２７ａに沿って切欠き２７内に導入された後、係止面２７ｂで係止されるようになっている。
【００２５】
以上のようなパチンコ機１で遊技をするにあたり、遊技者は発射ハンドル１７の回動操作部材１９を回動操作することにより、上皿１３に貯留された遊技球を、遊技盤８の遊技領域７に発射させる。そして、回動操作部材１９の回動角度を調整することで遊技球の発射速度を調節する。
【００２６】
このとき、遊技者は、遊技球の発射速度を微調整した状態で一定に保持するために、図６（ｂ）に示すように、回動操作部材１９の指掛け部２５とハンドルカバー１８Ａの椀状部２１との間にコインＣを差し込む可能性があるが、このとき、ハンドルカバー１８Ａの椀状部２１の表面は円弧状の曲面なので、指掛け部２５のハンドルカバー１８Ａに沿った面にコインＣの先端が突き当たり、回動操作部材１９を固定できる程の深さまでコインＣを食い込ませることができない。
【００２７】
そして、指掛け部２５が変形する程の大きな力でコインＣ等の異物が押し込まれた場合や、コインＣよりも柔軟性のある異物が差し込まれた場合でも、その異物の先端は、指掛け部２５の椀状部２１に沿った面に摺接しながら進み、その後、切欠き２７の導入面２７ａに沿って切欠き２７内に導入されて係止面２７ｂで係止され、それ以上の侵入が阻止される。したがって、指掛け部２５と椀状部２１の円弧状の表面との間に異物を差し込まれても、回動操作部材１９を固定できる程の深さまで異物を食い込ませることができず、回動操作部材１９を固定する不正行為を効果的に防止することができる。
【００２８】
また、筒部２０と椀状部２１の境界で面の曲率が変化するので、その曲率の変化に追従できないコインＣ等の異物は、筒部２０と椀状部２１の境界位置よりも奥に進むことができず、結局、回動操作部材１９を固定できる程の深さまで異物を食い込ませることができない。ここで、椀状部２１は、筒部２０に連続する部分（本実施形態では小曲率半径部分２１ａ）の曲率半径を１５ｍｍ以下に設定すると、異物の侵入を効果的に防止することが可能である。また、指掛け部２５が椀状部２１に被さる部分の椀状部２１に沿った長さを３ｍｍ以下に設定することにより、異物の差し込み深さを十分に小さくすることができる。
【００２９】
このように、本実施形態においては、ハンドルカバー１８Ａの椀状部２１の円弧状の表面に沿って延びる部分を有する指掛け部２５に、指掛け部２５とハンドルカバー１８Ａとの間に差し込まれた異物の先端を係止する切欠き２７が形成されているので、指掛け部２５とハンドルカバー１８Ａの椀状部２１の円弧状の表面との間にコイン等の異物を食い込ませて回動操作部材１９を固定する不正行為を効果的に防止することが可能である。
【００３０】
なお、本実施形態では、切欠き２７の係止面２７ｂは、ハンドルカバー１８Ａの表面から垂直に立ち上がるように形成したが、図７に示すように、遊技者側から見てハンドルカバー１８Ａの表面に沿って延びる接線の傾斜方向と同じ側に傾斜して立ち上がるように形成してもよい。このようにすると、指掛け部２５とハンドルカバー１８Ａとの間に差し込まれた異物をより確実に係止することが可能となる。
【００３１】
切欠き２７は、筒部２０と椀状部２１の境界よりも椀状部２１側にずれた位置に形成してもよいが、本実施形態で説明したように、筒部２０と椀状部２１の境界に対応した位置に形成すると好ましい。このようにすると、指掛け部２５が変形する程の大きな力でコインＣ等の異物が押し込まれた場合にも、筒部２０と椀状部２１の境界で面の曲率が変化するので、その曲率の変化に追従できないコインＣ等の異物を切欠き２７で確実に係止することができる。
【００３２】
本実施形態では、異物の差し込みを防止する効果を高めるために、筒部２０と椀状部２１とからなるハンドルカバー１８Ａを採用した発射ハンドル１７を例に挙げて説明したが、本発明は、例えば半球状の椀状部のみからなるハンドルカバーを採用した発射ハンドルにも適用することができる。
【００３３】
また、本実施形態では、ハンドル本体１８の円弧状の曲面に沿って延びる部分を有する延出部として指掛け部２５を例に挙げて説明したが、本発明は、例えば、視覚的デザインの観点から、ハンドル本体１８の円弧状の曲面に沿って延びる部分を有する延出部を回動操作部材１９と一体に形成した場合にも同様に適用しうる。
【符号の説明】
【００３４】
１・・・パチンコ機、１７・・・発射ハンドル、１８・・・ハンドル本体、１９・・・回動操作部材、２５・・・指掛け部、２７・・・切欠き
【図１】
2011224318.tif 000003
【図２】
2011224318.tif 000004
【図３】
2011224318.tif 000005
【図４】
2011224318.tif 000006
【図５】
2011224318.tif 000007
【図６】
2011224318.tif 000008
【図７】
2011224318.tif 000009